(57)【要約】【課題】装置間のケーブル接続を効率的に確認すること。【解決手段】装置１の試験信号送信部５がケーブル１０の特定の芯を用いて試験信号を装置２へ送信し、装置２の折返部６が装置毎及びポート毎に異なる芯を用いて試験信号を返送する。そして、装置１の接続先判定部７が、試験信号が返送された芯に基づいて、ケーブル１０が正しく接続されているか否かを判定し、判定結果を表示する。切替部８は、ケーブルの接続を装置内部回路１ａと試験信号送信部５及び接続先判定部７との間で切り替える。切替部９は、ケーブルの接続を装置内部回路２ａと折返部６との間で切り替える。【選択図】図１
2015195487.tif 000002
【特許請求の範囲】
【請求項１】
複数の芯を有するケーブルで他の機器と接続される電子機器において、
第ｍ（ｍは１以上、電子機器のポート数以下の整数）ポートから第ｎ（ｎは１以上、ケーブルの芯数以下の整数）芯を経由して、第ｍポートを識別する信号を、前記他の機器に送信する送信部と、
第ｐ（ｐは１以上、他の機器のポート数以下の整数であって、ｍ＝ｐ又はｍ≠ｐ）ポートの第ｎ芯で前記信号を受信した前記他の機器が第ｐポートの第ｓ芯（ｓは１以上、ケーブルの芯数以下でｎと異なる整数）を経由して前記信号に対して返信した信号を、受信する受信部と
を備えたことを特徴とする電子機器。
【請求項２】
前記受信部が第ｍポートの第ｓ芯で前記返信した信号を受信したか否かを判定して、前記ケーブルの接続が正しいか否かを判定する判定部
をさらに備えたことを特徴とする請求項１に記載の電子機器。
【請求項３】
前記ｓは、機器毎及びポート毎に異なることを特徴とする請求項１又は２に記載の電子機器。
【請求項４】
前記受信部は、前記他の機器が第ｐポートの第ｓ芯と第ｔ芯（ｔは１以上、ケーブルの芯数以下でｎ及びｓと異なる整数）を経由して前記信号に対して返信した信号を、受信することを特徴とする請求項１、２又は３に記載の電子機器。
【請求項５】
第１装置と第２装置を結ぶ、複数の芯を有するケーブルの接続を確認する接続確認装置において、
前記第１装置の第ｍ（ｍは１以上、第１装置のポート数以下の整数）ポートから第ｎ（ｎは１以上、ケーブルの芯数以下の整数）芯を経由して、第ｍポートを識別する信号を、前記第２装置に送信する送信部と、
第ｐ（ｐは１以上、第２装置のポート数以下の整数であって、ｍ＝ｐ又はｍ≠ｐ）ポートの第ｎ芯で前記信号を受信した前記第２装置が第ｐポートの第ｓ芯（ｓは１以上、ケーブルの芯数以下でｎと異なる整数）を経由して前記信号に対して返信した信号を、受信する受信部と
を備えたことを特徴とする接続確認装置。
【請求項６】
第１装置と第２装置を結ぶ、複数の芯を有するケーブルの接続確認方法において、
前記第１装置は、第ｍ（ｍは１以上、第１装置のポート数以下の整数）ポートから第ｎ（ｎは１以上、ケーブルの芯数以下の整数）芯を経由して、第ｍポートを識別する信号を、前記第２装置に送信し、
前記第２装置は、第ｐ（ｐは１以上、第２装置のポート数以下の整数であって、ｍ＝ｐ又はｍ≠ｐ）ポートの第ｎ芯で前記信号を受信し、受信した前記信号を第ｐポートの第ｓ芯（ｓは１以上、ケーブルの芯数以下でｎと異なる整数）を経由して前記第１装置に送信する
ことを特徴とする接続確認方法。
【発明の詳細な説明】
【技術分野】
【０００１】
本発明は、電子機器、接続確認装置及び接続確認方法に関する。
【背景技術】
【０００２】
従来、複数ポートを持つ装置間あるいは機器間を複数本のケーブルで接続する場合、両端に接続元及び接続先の装置名又は機器名とポート名などを表すタグをつけたケーブルが用いられてきた。図９は、タグをつけたケーブルによる装置間の接続例を示す図である。
【０００３】
図９に示すように、装置1のポート1と装置2のポート1の間をケーブルで接続する場合、ケーブルの装置1側のタグには接続元として装置1とポート1が記載され、接続先として装置2とポート1が記載される。また、ケーブルの装置2側のタグには接続元として装置2とポート1が記載され、接続先として装置1とポート1が記載される。
【０００４】
作業者は、タグ情報に基づいて装置にケーブルを接続する。図１０は、タグ情報に基づくケーブル接続の一例を示す図である。図１０では、タグ情報としてケーブル名、接続元及び接続先の装置名とポート番号が記載されている。
【０００５】
タグ９０において、「ＵＴＰ５」はケーブル名であり、接続元装置名及びポート番号は「電子カルテ待機系（ＲＸ３００）」及び「２」であり、接続先装置名及びポート番号は「電子カルテ運用系（ＲＸ３００）」及び「２」である。作業者は、タグ９０の情報に基づいて、装置名が「電子カルテ待機系（ＲＸ３００）」である装置のポート番号が「２」であるポート９１にケーブルを接続する。
【０００６】
そして、装置間をケーブルで接続して装置の電源を投入後、装置間で接続情報のやりとりを行い、予め保持している接続情報の正解値と比較して誤接続を検出することが行われる。
【０００７】
なお、装置の電源投入後にケーブルの誤接続を検出する技術として、検査信号を送信する検査信号送信回路と、検査信号を受信する検査信号受信回路と、検査信号受信回路が検査信号を受信しないときに動作する警報回路を備えたケーブル誤接続検査回路がある。
【０００８】
また、ケーブルの誤接続を検出する技術として、電源が入っているか否かを検出し、電源が入っていない場合にコネクタからの信号を切り替え、切り替えた信号を取り出して接続すべき相手であるか比較する誤接続検出装置がある。
【先行技術文献】
【特許文献】
【０００９】
【特許文献１】実開平５−３３０７０号公報
【特許文献２】特開平６−９６８１２号公報
【発明の概要】
【発明が解決しようとする課題】
【００１０】
しかしながら、ケーブルにタグを付与する方法には、装置間を接続するケーブルのポートの接続を効率的に確認することができないという問題がある。すなわち、ケーブルにタグを付与する方法には、予め接続元及び接続先を記載したタグを作成し、ケーブルに付与する必要があり、特にケーブルの本数が多い場合には前準備に多くの時間が必要となる。
【００１１】
また、図１１に示すように、多数のケーブルが接続される場合、ケーブルをたどってタグ情報に基づいてケーブルの接続を確認することは困難となる。特に、ケーブルが床下、天井等を経由している場合は、ケーブルをたどって接続を確認することが困難となる。
【００１２】
本発明は、１つの側面では、装置間を接続するケーブルのポートの接続を効率的に確認することができる電子機器、接続確認装置及び接続確認方法を提供することを目的とする。
【課題を解決するための手段】
【００１３】
本願の開示する電子機器は、１つの態様において、複数の芯を有するケーブルで他の機器と接続される。前記電子機器は、第ｍ（ｍは１以上、電子機器のポート数以下の整数）ポートから第ｎ（ｎは１以上、ケーブルの芯数以下の整数）芯を経由して、第ｍポートを識別する信号を、前記他の機器に送信する送信部を有する。前記電子機器は、第ｐ（ｐは１以上、他の機器のポート数以下の整数であって、ｍ＝ｐ又はｍ≠ｐ）ポートの第ｎ芯で前記信号を受信した前記他の機器が第ｐポートの第ｓ芯（ｓは１以上、ケーブルの芯数以下でｎと異なる整数）を経由して前記信号に対して返信した信号を、受信する受信部を有する。
【発明の効果】
【００１４】
１実施態様によれば、装置間を接続するケーブルのポートの接続を効率的に確認することができる。
【図面の簡単な説明】
【００１５】
【図１】図１は、実施例に係る接続試験システムの構成を示す図である。
【図２】図２は、試験機能を外部の装置に設ける場合の接続試験システムの構成を示す図である。
【図３】図３は、ＬＡＮケーブルの接続試験システムの構成を示す図である。
【図４】図４は、図３において破線で囲まれた個所の拡大図である。
【図５】図５は、図３において一点鎖線で囲まれた個所の拡大図である。
【図６Ａ】図６Ａは、切替部にジャンパーを用いた例を示す図である。
【図６Ｂ】図６Ｂは、切替部に５極電磁リレーを用いた例を示す図である。
【図７】図７は、図３において二点鎖線で囲まれた個所の拡大図である。
【図８】図８は、実施例に係る接続試験システムの処理のフローを示すフローチャートである。
【図９】図９は、タグをつけたケーブルによる装置間の接続例を示す図である。
【図１０】図１０は、タグ情報に基づくケーブル接続の一例を示す図である。
【図１１】図１１は、多数のケーブル接続例を示す図である。
【発明を実施するための形態】
【００１６】
以下に、本願の開示する電子機器、接続確認装置及び接続確認方法の実施例を図面に基づいて詳細に説明する。なお、この実施例は開示の技術を限定するものではない。
【実施例】
【００１７】
まず、実施例に係る接続試験システムの構成について説明する。図１は、実施例に係る接続試験システムの構成を示す図である。図１に示すように、接続試験システム１００は、装置１と装置２との間のケーブルの接続を試験するシステムである。装置１及び装置２はそれぞれ複数のポート１ｃ及び２ｃを有し、装置１のポート１ｃと装置２のポート２ｃは多芯のケーブル１０で接続される。
【００１８】
なお、図１では説明の便宜上、装置１及び装置２がそれぞれ４つのポート１ｃ及び２ｃを有する場合を示すが、装置１及び装置２はそれぞれ任意の個数のポート１ｃ及び２ｃを有してよい。
【００１９】
また、図１では、装置１及び装置２の４つのポート１ｃ及び２ｃが全て装置１と装置２との間でケーブル１０で接続されているが、装置１のいくつかのポート１ｃは装置２以外の装置のポートと接続されてもよい。同様に、装置２のいくつかのポート２ｃは装置１以外の装置のポートと接続されてもよい。
【００２０】
また、図１では、装置１と装置２との間で上から同じ順番にあるポート同士が接続されているが、装置１と装置２との間で上から異なる順番にあるポート同士が接続されてもよい。
【００２１】
装置１は、装置内部回路１ａと、試験部１ｂと、４つのポート１ｃとを有する。装置内部回路１ａは、装置１が提供する機能を実現する回路であり、例えば装置が情報処理装置であれば情報処理機能を実現する回路である。試験部１ｂは、ケーブル１０の接続試験を行う回路であり、試験信号送信部５と、接続先判定部７と、切替部８とを有する。
【００２２】
試験信号送信部５は、試験信号をケーブル１０の特定の芯を用いて装置２に送信する。試験信号は、微弱な一定の電流でよく、正弦波、パルス、デジタル信号等のいずれでもよい。
【００２３】
接続先判定部７は、装置２でケーブル１０の別の芯に折り返された試験信号を受信して接続先が正しいか否かを判定し、判定結果を表示する。切替部８は、接続試験時にケーブル１０を試験信号送信部５及び接続先判定部７に接続し、運用時にケーブル１０を装置内部回路１ａに接続する。
【００２４】
装置２は、装置内部回路２ａと、試験部２ｂと、４つのポート２ｃとを有する。装置内部回路２ａは、装置２が提供する機能を実現する回路であり、例えば装置が通信装置であれば通信機能を実現する回路である。試験部２ｂは、ケーブル１０の接続試験を行う回路であり、折返部６と、切替部９とを有する。
【００２５】
折返部６は、装置１からケーブル１０の特定の芯を用いて送信された試験信号を装置毎及びポート毎に異なる芯で装置１に折り返す。折返部６が、試験信号を装置毎及びポート毎に異なる芯で装置１に折り返すことによって、接続先判定部７は、ケーブル１０の接続先が正しいか否かを判定することができる。また、装置２は、試験信号を折り返すだけであるため、装置２の電源を投入することなく接続試験を行うことができる。
【００２６】
切替部９は、接続試験時にケーブル１０を折返部６に接続し、運用時にケーブル１０を装置内部回路２ａに接続する。
【００２７】
なお、図１において、試験信号送信部５、折返部６及び接続先判定部７が提供する試験機能は、各装置の外部の装置に設けてもよい。図２は、試験機能を外部の装置に設ける場合の接続試験システムの構成を示す図である。なお、ここでは説明の便宜上、図１に示した各部と同様の役割を果たす機能部については同一符号を付すこととしてその詳細な説明を省略する。
【００２８】
図２に示すように、接続試験システム２００は、装置３と、装置４と、接続元試験装置３ｄと、接続先試験装置４ｄとを有する。装置３は、装置内部回路１ａと、試験部３ｂと、４つのポート１ｃとを有する。試験部３ｂは、図１に示した試験部１ｂと異なり、切替部８だけを有する。
【００２９】
装置４は、装置内部回路２ａと、試験部４ｂと、４つのポート２ｃとを有する。試験部４ｂは、図１に示した試験部１ｂと異なり、切替部９だけを有する。接続元試験装置３ｄは、試験信号送信部５と接続先判定部７とを有し、切替部８に接続される。接続先試験装置４ｄは、折返部６を有し、切替部９に接続される。
【００３０】
このように、接続元試験装置３ｄ及び接続先試験装置４ｄをそれぞれ装置３及び装置４に接続することによって、ケーブル１０を接続する装置自体は切替部だけを備えればよく、装置のコストを低減することができる。また、作業者は、装置３及び装置４の電源を投入することなく、ケーブルの接続確認を行うことができる。
【００３１】
次に、ＬＡＮケーブルの接続試験システムについて図３〜図７を用いて説明する。図３は、ＬＡＮケーブルの接続試験システムの構成を示す図である。なお、ここでは説明の便宜上、図１に示した各部と同様の役割を果たす機能部については同一符号を付すこととしてその詳細な説明を省略する。
【００３２】
図３に示すように、ＬＡＮケーブルの接続試験システム３００は、装置１と装置２の間が４本の８芯ＬＡＮケーブル１０ａで接続されている。４本の８芯ＬＡＮケーブル１０ａは、ＬＡＮケーブル1〜ＬＡＮケーブル4で表される。また、装置が有する４つのポートは、Ｐ1〜Ｐ4で表され、切替部８及び９は、スイッチとして図示されている。
【００３３】
図４は、図３において破線で囲まれた個所の拡大図である。図４に示すように、８芯のＬＡＮケーブルは、ポートＰ1及びＰ2にコネクタ１１で接続される。装置１のポートＰ1は、ＬＡＮケーブル1の芯「１」で試験信号を装置２のポートＰ1へ送信し、装置２のポートＰ1は、ＬＡＮケーブル1の芯「２」で試験信号を装置１のポートＰ1へ返送する。
【００３４】
一方、装置１のポートＰ2は、ＬＡＮケーブル2の芯「１」で試験信号を装置２のポートＰ2へ送信し、装置２のポートＰ2は、ＬＡＮケーブル2の芯「３」で試験信号を装置１のポートＰ2へ返送する。
【００３５】
すなわち、装置２の各ポートは、ポート毎に異なる芯を用いて試験信号を返送する。また、試験信号を返送する芯は、装置毎でも異なる。このように、接続先の装置２が装置毎及びポート毎に異なる芯を用いて試験信号を返送することによって、接続元の装置１は、試験信号を検出した芯の番号よりケーブルの接続先を識別することができる。例えば、図４において、装置１は、ＬＡＮケーブル1の２芯で試験信号を受信することにより、ＬＡＮケーブル1が装置２のポートＰ1に接続されていることがわかる。
【００３６】
なお、図４では、試験信号を１つの芯を用いて返送する場合について説明したが、装置２は、複数の芯を用いて試験信号を返送してもよい。したがって、８芯のケーブルであれば、１つの芯は試験信号の送信に用いられるので、接続元の装置は、残りの７つの芯を用いて２7−１＝１２７のポートを識別することができる。
【００３７】
図５は、図３において一点鎖線で囲まれた個所の拡大図である。図５に示すように、装置２の切替部９は、ＤＩＰ−ＳＷ（Dual  In-line  Package  Switch：ディップスイッチ）、ジャンパー、電磁リレー等で実現される。装置２の電源がＯＦＦの時にはＡとＢが接続され、接続試験が行われる。一方、装置２の電源がＯＮの時にはＡとＣが接続され、ＬＡＮケーブルは装置内部回路と接続される。また、折返部６は、Ｂの接続先を芯「２」に設定することで実現される。
【００３８】
図６Ａは、切替部９にジャンパーを用いた例を示す図である。図６Ａ（１）に示すように、装置２の電源がＯＦＦの時は、コネクタ１１の全てのピンにおいてＡとＢが接続され、芯「１」に対応するピンと芯「２」に対応するピンがジャンパー接続される。一方、装置２の電源がＯＮの時は、コネクタ１１の全てのピンにおいてＡとＣが接続される。なお、図６Ａ（２）にジャンパー（ショートプラグ）の例を示す。
【００３９】
図６Ｂは、切替部９に５極電磁リレーを用いた例を示す図である。装置２の電源が入っていない状態では、ＶＣＣに電圧がかからず、図６Ｂに示すように、コネクタ１１の全てのピンにおいてＡとＢが接続され、装置２は接続試験モードとなる。一方、装置２の電源が入ると、リレーが働いてコネクタ１１の全てのピンにおいてＡとＣが接続され、装置２は自動的に運用モードとなる。
【００４０】
図７は、図３において二点鎖線で囲まれた個所の拡大図である。図７において、切替部８は、電磁リレー等で実現される。装置１の電源がＯＦＦの時にはＡとＢが接続され、接続試験が行われる。一方、装置１の電源がＯＮの時にはＡとＣが接続され、装置内部回路とＬＡＮケーブルが接続される。
【００４１】
図７に示すように、試験信号送信部５は、ＶＣＣが可変抵抗５１を介してＧＮＤに接続され、可変抵抗５１から切替部８のＢに所定の電圧を供給することによって、コネクタのピンのうち芯「１」に対応するピンに電圧信号を送信する。芯「１」により装置２へ送信された電圧信号は、芯「２」を用いて返送され、接続先判定部７へ入力される。
【００４２】
接続先判定部７は、抵抗７１及び７４と、ＧＲＥＥＮに点灯するＬＥＤ７２と、ＲＥＤに点灯するＬＥＤ７５と、トランジスタ７３及び７６とを有する。トランジスタ７３及び７６のゲートは芯「２」に対応する切替部８のＢに接続される。
【００４３】
ＬＥＤ７２の一端は抵抗７１を介してＶＣＣに接続され、他端はトランジスタ７３のコレクタに接続される。トランジスタ７３のエミッタはＧＮＤに接続される。ＬＥＤ７５の一端は抵抗７４を介してＶＣＣに接続されるとともにトランジスタ７６のコレクタに接続され、他端はＧＮＤに接続される。トランジスタ７６のエミッタはＧＮＤに接続される。
【００４４】
芯「２」を用いて返送された電圧信号は、トランジスタ７３を導通し、ＬＥＤ７２をＧＲＥＥＮに点灯するとともに、トランジスタ７６を導通することによってＬＥＤ７５を消灯する。したがって、ＬＡＮケーブルが正しく接続されている場合には、ＬＥＤ７２がＧＲＥＥＮに点灯することによって、作業者はＬＡＮケーブルの接続が正しく行われていることを確認することができる。
【００４５】
一方、芯「２」を用いて試験信号が返送されない場合には、トランジスタ７３及び７６が導通しないため、ＬＥＤ７２は消灯し、ＬＥＤ７５がＲＥＤに点灯する。したがって、ＬＡＮケーブルが正しく接続されていない場合には、ＬＥＤ７５がＲＥＤに点灯することによって、作業者はＬＡＮケーブルの接続が正しく行われていないことを確認することができる。
【００４６】
なお、図７では、２つのＬＥＤ７２及び７５を用いる場合を示したが、いずれか一方のＬＥＤだけを用いてもよい。
【００４７】
次に、実施例に係る接続試験システム１００の処理のフローについて説明する。図８は、実施例に係る接続試験システム１００の処理のフローを示すフローチャートである。図８に示すように、装置１の試験信号送信部５は、ケーブル１０の特定の芯を用いて試験信号を装置２へ送信する（ステップＳ１）。
【００４８】
そして、装置２は、装置毎及びポート毎に異なる芯を用いて試験信号を返送する（ステップＳ２）。そして、装置１の接続先判定部７が、返送された試験信号を受信し（ステップＳ３）、接続先判定結果を表示する（ステップＳ４）。
【００４９】
上述してきたように、実施例では、装置１の試験信号送信部５がケーブル１０の特定の芯を用いて試験信号を装置２へ送信し、装置２が装置毎及びポート毎に異なる芯を用いて試験信号を返送する。そして、装置１の接続先判定部７が、試験信号が返送された芯に基づいて、ケーブル１０が正しく接続されているか否かを判定し、判定結果を表示する。したがって、作業者は、効率的にケーブルの接続試験を行うことができる。
【００５０】
また、実施例では、装置２は試験信号を折り返すだけであるため、装置２の電源を投入することなくケーブルの接続試験を行うことができる。さらに、接続元試験装置３ｄ及び接続先試験装置４ｄを用いることによって、作業者は、装置１及び装置２の電源を投入することなくケーブルの接続試験を行うことができる。したがって、装置１及び装置２の起動方法や操作方法を知らない作業者でもケーブルの接続確認を行うことができる。
【００５１】
また、実施例では、ケーブルタグを使用しないため、ケーブル接続の事前準備が不要となり、作業時間を短縮することができる。また、実施例では、ケーブルを辿って接続先を確認する必要がないため、装置間の距離や経路に依存することなく接続先の確認を行うことができる。
【００５２】
また、本実施例では、８芯のＬＡＮケーブルを用いる場合を例として説明したが、本発明はこれに限定されるものではなく、芯の数が異なるＬＡＮケーブルや他のケーブルを用いる場合にも同様に適用することができる。
【符号の説明】
【００５３】
１，２，３，４    装置
１ａ，２ａ    装置内部回路
１ｂ，２ｂ，３ｂ，４ｂ    試験部
１ｃ，２ｃ    ポート
３ｄ    接続元試験装置
４ｄ    接続先試験装置
５    試験信号送信部
６    折返部
７    接続先判定部
８，９    切替部
１０    ケーブル
１０ａ    ＬＡＮケーブル
１１    コネクタ
５１    可変抵抗
７１，７４    抵抗
７２，７５    ＬＥＤ
７３，７６    トランジスタ
９０    タグ
９１    ポート
１００，２００，３００    接続試験システム
【図１】
2015195487.tif 000003
【図２】
2015195487.tif 000004
【図３】
2015195487.tif 000005
【図４】
2015195487.tif 000006
【図５】
2015195487.tif 000007
【図６Ａ】
2015195487.tif 000008
【図６Ｂ】
2015195487.tif 000009
【図７】
2015195487.tif 000010
【図８】
2015195487.tif 000011
【図９】
2015195487.tif 000012
【図１０】
2015195487.tif 000013
【図１１】
2015195487.tif 000014